(57)【要約】【課題】コンテンツ上に表示されるリンク先に関連する情報をユーザに円滑に通知すること。【解決手段】この携帯通信端末２は、ユーザからの要求に応じてＷＥＢページを要求するＨＴＴＰリクエストを情報配信装置１０に送信するとともに、情報配信装置１０からリンク先情報とコンテンツ種別及びＵＲＬ状態に対応する付加情報とを含むＷＥＢページを受信する通信部２０５と、ユーザによってリンク先情報を選択する選択入力が受け付けられた際に、該リンク先情報に付加された付加情報に応じた報知出力を制御する付加情報解析部２０４とを有する。【選択図】図６
2009288959.tif 000002
【特許請求の範囲】
【請求項１】
情報配信装置から通信端末に向けて、コンテンツデータを受信するためのリンク先情報を含むページ情報を、通信ネットワークを介して送信するリンク先情報配信システムにおいて、
前記情報配信装置は、
前記通信端末からの前記リンク先情報を含む前記コンテンツデータの要求に応じて、前記通信ネットワーク内から前記コンテンツデータを受信すると同時に、前記コンテンツデータの受信時のレスポンス情報を取得するコンテンツ受信手段と、
前記コンテンツ受信手段によって受信された前記コンテンツデータの種別を判定するコンテンツ種別判定手段と、
前記レスポンス情報によって特定される前記コンテンツデータの配信元の状態を示すコンテンツ状態と、前記種別とを前記コンテンツデータに対応付けて格納するコンテンツ情報格納手段と、
前記通信端末からの前記ページ情報の要求に応じて前記通信ネットワーク内から前記ページ情報を取得し、前記ページ情報に含まれるリンク先情報を抽出し、該リンク先情報に対応する前記コンテンツデータに関する前記種別及び前記コンテンツ状態とを、前記コンテンツ情報格納手段から読み出して前記ページ情報におけるリンク先情報に付加するコンテンツ情報付加手段と、
前記通信端末に対して、前記コンテンツ情報付加手段によって生成された前記ページ情報を送信するページ情報送信手段とを有し、
前記通信端末は、
ユーザからの要求に応じて、前記ページ情報を要求する要求信号を前記情報配信装置に送信する要求情報送信手段と、
前記要求に応じて、前記情報配信装置から、前記リンク先情報と該リンク先情報に付加された前記種別及び前記コンテンツ状態とを含む前記ページ情報を受信するページ情報受信手段と、
前記ユーザによって前記リンク先情報を選択する選択入力が受け付けられた際に、該リンク先情報に対応する前記種別及び前記コンテンツ状態に応じた報知出力を制御する出力制御手段とを有する、
ことを特徴とするリンク先情報配信システム。
【請求項２】
情報配信装置から、コンテンツデータを受信するためのリンク先情報を含むページ情報を、通信ネットワークを介して受信する通信端末において、
ユーザからの要求に応じて、前記ページ情報を要求する要求信号を前記情報配信装置に送信する要求情報送信手段と、
前記要求信号に応じて、前記情報配信装置から、前記リンク先情報と該リンク先情報に付加された前記コンテンツデータの種別及び前記コンテンツデータの配信元の状態を示すコンテンツ状態とを含む前記ページ情報を受信するページ情報受信手段と、
前記ユーザによって前記リンク先情報を選択する選択入力が受け付けられた際に、該リンク先情報に対応する前記種別及び前記コンテンツ状態に応じた報知出力を制御する出力制御手段とを有する、
ことを特徴とする通信端末。
【請求項３】
前記出力制御手段は、前記種別及び前記コンテンツ状態に応じて、音声出力手段、振動発生手段、及び発光手段のうちの少なくとも１つを制御する、
ことを特徴とする請求項２記載の通信端末。
【請求項４】
前記コンテンツ情報付加手段は、前記通信端末を識別する通信端末識別情報を更に取得し、前記種別及び前記コンテンツ状態とを、前記通信端末特定情報によって識別されるユーザ属性に応じて前記リンク先情報に付加する、
ことを特徴とする請求項２又は３記載の通信端末。
【請求項５】
情報配信装置から通信端末に向けて、コンテンツデータを受信するためのリンク先情報を含むページ情報を、通信ネットワークを介して送信するリンク先情報配信方法であって、
前記情報配信装置が、前記通信端末からの前記リンク先情報を含む前記コンテンツデータの要求に応じて、前記通信ネットワーク内から前記コンテンツデータを受信すると同時に、前記コンテンツデータの受信時のレスポンス情報を取得するコンテンツ受信ステップと、
前記情報配信装置が、前記コンテンツ受信ステップによって受信された前記コンテンツデータの種別を判定するコンテンツ種別判定ステップと、
前記情報配信装置が、前記レスポンス情報によって特定される前記コンテンツデータの配信元の状態を示すコンテンツ状態と、前記種別とを前記コンテンツデータに対応付けて格納するコンテンツ情報格納ステップと、
前記情報配信装置が、前記通信端末からの前記ページ情報の要求に応じて前記通信ネットワーク内から前記ページ情報を取得し、前記ページ情報に含まれるリンク先情報を抽出し、該リンク先情報に対応する前記コンテンツデータに関する前記種別及び前記コンテンツ状態とを読み出して前記ページ情報におけるリンク先情報に付加するコンテンツ情報付加ステップと、
前記情報配信装置が、前記通信端末に対して、前記コンテンツ情報付加手段によって生成された前記ページ情報を送信するページ情報送信ステップと、
前記通信端末が、ユーザからの要求に応じて、前記ページ情報を要求する要求信号を前記情報配信装置に送信する要求情報送信ステップと、
前記通信端末が、前記要求に応じて、前記情報配信装置から、前記リンク先情報と該リンク先情報に付加された前記種別及び前記コンテンツ状態とを含む前記ページ情報を受信するページ情報受信ステップと、
前記通信端末が、前記ユーザによって前記リンク先情報を選択する選択入力が受け付けられた際に、該リンク先情報に対応する前記種別及び前記コンテンツ状態に応じた報知出力を制御する出力制御ステップと、
を備えることを特徴とするリンク先情報配信方法。
【発明の詳細な説明】
【技術分野】
【０００１】
本発明は、リンク先情報配信システム、通信端末、及びリンク先情報配信方法に関するものである。
【背景技術】
【０００２】
従来から、携帯電話等の通信端末を用いて、通信ネットワークを介してインターネットやイントラネット内の情報を閲覧することが盛んに行われている。その際には、ＨＴＴＰ（HyperText Transfer Protocol）やＨＴＭＬ（HyperText Markup Language）を用いて通信ネットワーク上でデータが送受信され、インターネット上のサーバからコンテンツを受信するために、ＵＲＩ（UniformResource Identifier）やＵＲＬ（Uniform Resource Locator）と呼ばれるコンテンツの格納先を一意に識別する識別子が使用される。また、コンテンツにＵＲＩやＵＲＬを付加して「リンク先情報」として表示させることにより複数のコンテンツ間を関連付けすることができ、通信端末のユーザは１つのＷＥＢページからそれに関連する画像や映像等のコンテンツを容易に取得することができる。
【０００３】
このようなリンク先情報の表示に関しては、例えば、ＷＥＢページ上にリンク先を表示する際に、該リンク先に対応するアクセスログデータに基づいて、リンクテキストの前後にアクセス数に関する情報を表示する技術が知られている（下記特許文献１参照）。また、リンク先のページが存在するか否かを、ＷＷＷサーバからの応答信号によって判定し、その判定結果に応じてリンク情報を強調表示する技術や（下記特許文献２参照）、リンク先の確認要求に対して応答されたステータスコードに基づいてリンク先の状態を判断し、リンク先の状態を利用者に通知する技術（下記特許文献３参照）が知られている。
【特許文献１】特開２００３−１９６１９８号公報
【特許文献２】特開平１１−３９３４１号公報
【特許文献３】特開２００７−２７２６９５号公報
【発明の開示】
【発明が解決しようとする課題】
【０００４】
しかしながら、上述したリンク先表示に関する従来技術においては、ページ上にリンク先に関する情報を併せて表示する際に、ページ上に本来表示されるべき情報が見づらくなったり、ユーザによる画面操作の障害となる場合があった。
【０００５】
そこで、本発明は、かかる課題に鑑みて為されたものであり、コンテンツ上に表示されるリンク先に関連する情報をユーザに円滑に通知することが可能なリンク先情報配信システム、通信端末、及びリンク先情報配信方法を提供することを目的とする。
【課題を解決するための手段】
【０００６】
上記課題を解決するため、本発明のリンク先情報配信システムは、情報配信装置から通信端末に向けて、コンテンツデータを受信するためのリンク先情報を含むページ情報を、通信ネットワークを介して送信するリンク先情報配信システムにおいて、情報配信装置は、通信端末からのリンク先情報を含むコンテンツデータの要求に応じて、通信ネットワーク内からコンテンツデータを受信すると同時に、コンテンツデータの受信時のレスポンス情報を取得するコンテンツ受信手段と、コンテンツ受信手段によって受信されたコンテンツデータの種別を判定するコンテンツ種別判定手段と、レスポンス情報によって特定されるコンテンツデータの配信元の状態を示すコンテンツ状態と、種別とをコンテンツデータに対応付けて格納するコンテンツ情報格納手段と、通信端末からのページ情報の要求に応じて通信ネットワーク内からページ情報を取得し、ページ情報に含まれるリンク先情報を抽出し、該リンク先情報に対応するコンテンツデータに関する種別及びコンテンツ状態とを、コンテンツ情報格納手段から読み出してページ情報におけるリンク先情報に付加するコンテンツ情報付加手段と、通信端末に対して、コンテンツ情報付加手段によって生成されたページ情報を送信するページ情報送信手段とを有し、通信端末は、ユーザからの要求に応じて、ページ情報を要求する要求信号を情報配信装置に送信する要求情報送信手段と、要求に応じて、情報配信装置から、リンク先情報と該リンク先情報に付加された種別及びコンテンツ状態とを含むページ情報を受信するページ情報受信手段と、ユーザによってリンク先情報を選択する選択入力が受け付けられた際に、該リンク先情報に対応する種別及びコンテンツ状態に応じた報知出力を制御する出力制御手段とを有する。
【０００７】
或いは、本発明のリンク先情報配信方法は、情報配信装置から通信端末に向けて、コンテンツデータを受信するためのリンク先情報を含むページ情報を、通信ネットワークを介して送信するリンク先情報配信方法であって、情報配信装置が、通信端末からのリンク先情報を含むコンテンツデータの要求に応じて、通信ネットワーク内からコンテンツデータを受信すると同時に、コンテンツデータの受信時のレスポンス情報を取得するコンテンツ受信ステップと、情報配信装置が、コンテンツ受信ステップによって受信されたコンテンツデータの種別を判定するコンテンツ種別判定ステップと、情報配信装置が、レスポンス情報によって特定されるコンテンツデータの配信元の状態を示すコンテンツ状態と、種別とをコンテンツデータに対応付けて格納するコンテンツ情報格納ステップと、情報配信装置が、通信端末からのページ情報の要求に応じて通信ネットワーク内からページ情報を取得し、ページ情報に含まれるリンク先情報を抽出し、該リンク先情報に対応するコンテンツデータに関する種別及びコンテンツ状態とを読み出してページ情報におけるリンク先情報に付加するコンテンツ情報付加ステップと、情報配信装置が、通信端末に対して、コンテンツ情報付加手段によって生成されたページ情報を送信するページ情報送信ステップと、通信端末が、ユーザからの要求に応じて、ページ情報を要求する要求信号を情報配信装置に送信する要求情報送信ステップと、通信端末が、要求に応じて、情報配信装置から、リンク先情報と該リンク先情報に付加された種別及びコンテンツ状態とを含むページ情報を受信するページ情報受信ステップと、通信端末が、ユーザによってリンク先情報を選択する選択入力が受け付けられた際に、該リンク先情報に対応する種別及びコンテンツ状態に応じた報知出力を制御する出力制御ステップと、を備える。
【０００８】
或いは、本発明の通信端末は、情報配信装置から、コンテンツデータを受信するためのリンク先情報を含むページ情報を、通信ネットワークを介して受信する通信端末において、ユーザからの要求に応じて、ページ情報を要求する要求信号を情報配信装置に送信する要求情報送信手段と、要求信号に応じて、情報配信装置から、リンク先情報と該リンク先情報に付加されたコンテンツデータの種別及びコンテンツデータの配信元の状態を示すコンテンツ状態とを含むページ情報を受信するページ情報受信手段と、ユーザによってリンク先情報を選択する選択入力が受け付けられた際に、該リンク先情報に対応する種別及びコンテンツ状態に応じた報知出力を制御する出力制御手段とを有する。
【０００９】
このようなリンク先情報配信システム、通信端末、及びリンク先情報配信方法によれば、情報配信装置によって通信ネットワーク内からのコンテンツデータの受信時のレスポンス情報が取得されるとともに、コンテンツデータの種別が判定されて、レスポンス情報に基づいたコンテンツ状態とその種別とがコンテンツデータ毎にいったん格納された後、通信端末からの要求によりリンク先情報を含むページ情報が送信される際に、そのページ情報にリンク先情報に対応する種別及びコンテンツ状態が付加されて、通信端末に送信される。これに対して、通信端末により、受信されたページ情報中のリンク先情報が選択入力されると、そのリンク先情報に付加されている種別及びコンテンツ状態に応じて、報知出力が制御される。これにより、リンク先に関するコンテンツの内容や状態がページ情報と併せて表示されることなしに通信端末のユーザに知らせられるので、画面表示や画面操作に対して障害を生じさせることがない。その結果、リンク先に関連する情報をユーザに円滑に通知することができる。
【００１０】
出力制御手段は、種別及びコンテンツ状態に応じて、音声出力手段、振動発生手段、及び発光手段のうちの少なくとも１つを制御する、ことが好ましい。こうすれば、リンク先に関連する情報を、ユーザに対して音、振動、又は光によって報知することができ、情報のより円滑な伝達が可能になる。
【００１１】
また、コンテンツ情報付加手段は、通信端末を識別する通信端末識別情報を更に取得し、種別及びコンテンツ状態とを、通信端末特定情報によって識別されるユーザ属性に応じてリンク先情報に付加する、ことも好ましい。かかる構成を採れば、ユーザの年齢やサービス契約状態等の属性に応じて、ユーザに通知するリンク先に関連する情報を適切に設定することができる。
【発明の効果】
【００１２】
本発明によれば、コンテンツ上に表示されるリンク先に関連する情報をユーザに円滑に通知することができる。
【発明を実施するための最良の形態】
【００１３】
以下、図面とともに本発明によるリンク先情報配信システム及びリンク先情報配信方法の好適な実施形態について詳細に説明する。なお、図面の説明においては同一要素には同一符号を付し、重複する説明を省略する。
【００１４】
図１は、本発明の好適な一実施形態にかかるリンク先情報配信システム１の概略構成図である。図１に示すように、本実施形態にかかるリンク先情報配信システム１は、携帯通信端末２と、情報中継用サーバ１１、情報収集解析用サーバ１２、情報付加用サーバ１３、及びデータベースサーバ１４を含む情報配信装置１０とを備えており、携帯通信端末２と情報配信装置１０とは、移動体通信網及びインターネット網等によって構成される通信ネットワークＮＷを介して、相互にデータ通信が可能な状態で接続されている。このリンク先情報配信システム１は、情報配信装置１０から携帯通信端末２に向けて、コンテンツデータを受信するためのＵＲＬを含むリンク先情報が挿入されたページ情報を、通信ネットワークＮＷを介して送信する通信システムである。
【００１５】
携帯通信端末２は、物理的には、ＣＰＵ、主記憶装置であるＲＡＭ及びＲＯＭ、ハードディスク装置等の補助記憶装置、入力デバイスである入力キー、マイク等の入力装置、ディスプレイ、スピーカ（音声出力手段）、ＬＥＤランプ（発光手段）、バイブレータ（振動発生手段）等の出力装置、無線送受信機等を含む無線通信モジュールなどを有する端末装置として構成されている。この無線通信モジュールは、移動体通信方式による無線通信を実行するモジュールであり、ＣＰＵ、ＲＡＭ、ＲＯＭ等との協働により通信ネットワークＮＷに接続された任意の端末装置やサーバ装置との間でのデータ通信機能を実現する。
【００１６】
また、情報中継用サーバ１１、情報収集解析用サーバ１２、情報付加用サーバ１３、及びデータベースサーバ１４は、物理的には、ＣＰＵ、主記憶装置であるＲＡＭ及びＲＯＭ、ハードディスク装置等の補助記憶装置、入力デバイスである入力キー等の入力装置、ディスプレイ等の出力装置、ネットワークカード等を含む通信モジュールなどを有するサーバ装置として構成されている。この通信モジュールは、通信ネットワークＮＷとの間でデータ通信を実行するモジュールであり、ＣＰＵ、ＲＡＭ、ＲＯＭ等との協働により任意の端末装置やサーバ装置との間でのデータ通信機能を実現する。
【００１７】
以下、リンク先情報配信システム１の各構成要素の機能について詳細に説明する。
【００１８】
まず、図２を参照して、情報収集解析用サーバ１２は、コンテンツ情報収集部（コンテンツ受信手段）１２１、データベース入出力部１２２、コンテンツデータ収集部（コンテンツ受信手段）１２３、コンテンツデータ抽出部１２４、コンテンツ種別判定部（コンテンツ種別判定手段）１２５、及び種別情報格納部１２６を含んで構成されている。
【００１９】
コンテンツ情報収集部１２１は、携帯通信端末２によるコンテンツデータの要求を契機にして、コンテンツデータの配信元を識別するためのＵＲＬ、コンテンツデータの受信時に通信ネットワークＮＷから返されるレスポンスコード、コンテンツデータのデータ形式を示すコンテンツタイプ、及びコンテンツデータを情報中継用サーバ１１から受信する。具体的には、情報中継用サーバ１１により、携帯通信端末２からコンテンツデータを特定するＵＲＬを含むＨＴＴＰリクエスト信号が受信されると、そのＨＴＴＰリクエストを中継することにより通信ネットワークＮＷからコンテンツデータが取得され、その際受信されるレスポンスコードとコンテンツタイプとともに、コンテンツ情報収集部１２１に転送される。
【００２０】
また、コンテンツ情報収集部１２１は、受信したレスポンスコードに基づいてコンテンツデータの配信元の状態を判定し、コンテンツ状態として生成する。例えば、レスポンスコードが400番台である場合はＷＥＢページが存在しないので“ページ無し”として生成し、300番台の場合はレスポンスコードに再接続先が含まれているので“ページ移動”として生成し、500番台の場合はサーバの不具合を意味しているので“サーバダウン”として生成し、レスポンスコードがタイムアウトにより受信できなかった場合は“リンク切れ”として生成する。コンテンツ情報収集部１２１は、生成したコンテンツ状態にＵＲＬ及びコンテンツタイプを付加してデータベース入出力部１２２に送るとともに、コンテンツデータをコンテンツデータ抽出部１２４に送る。
【００２１】
コンテンツデータ抽出部１２４は、コンテンツ情報収集部１２１によって受信されたコンテンツデータから、コンテンツデータの種別を識別するための要素情報を抽出する。例えば、コンテンツデータがＷＥＢページを含む文書データの場合は、その文書データを構成しているテキストデータの中から主文に相当する文章データを抽出し、その文章データを統計的尺度を示すデータに変換する。より詳細には、コンテンツデータ抽出部１２４は、ＷＥＢページから文章データを抜き出し、その文書データを形態素解析によって単語ｗｉ１〜ｗｉＭ（Ｍは１以上の整数）に分解し、その単語ｗｉ１〜ｗｉＭを基に下記式（１）を用いて単語ベクトルｄｉを作成する。
【数１】
2009288959.tif 000003
ここで、Ｍは事前に設定された任意の整数である。そして、コンテンツデータ抽出部１２４は、作成した単語ベクトルｄｉをコンテンツ種別判定部１２５に出力する。また、コンテンツデータ抽出部１２４は、コンテンツデータが画像データの場合は、画像データ中の色情報を含む特徴量を抽出してコンテンツ種別判定部１２５に出力してもよい。
【００２２】
コンテンツ種別判定部１２５は、コンテンツデータ抽出部１２４から出力された要素情報に基づいて、種別情報格納部１２６に格納されたジャンル情報データベースを参照しながらコンテンツデータの種別を判定する。このとき、要素情報が複数存在する場合には、要素情報毎に判定する。すなわち、コンテンツデータがＷＥＢページである場合は、ジャンル情報データベースに格納されているコンテンツ種別毎に予め設定された代表ベクトルｄｈを参照し、単語ベクトルｄｉに対して最も近い代表ベクトルｄｈを探索することにより、コンテンツ種別を判定する。この代表ベクトルの探索は、下記式（２）：
【数２】
2009288959.tif 000004
により、ベクトル空間の距離計算を行い、距離Ｓがある閾値を超えたものを探索することにより行われる。例えば、暴力的な表現が含まれているＷＥＢページに対しては、コンテンツ種別が“暴力サイト”と判定され、卑猥な表現が含まれているＷＥＢページに対しては、コンテンツ種別が“アダルトサイト”と判定される。なお、ベクトル空間の距離計算に際しては、単語ベクトルｄｉにｔｆ＊ｉｄｆ法を用いてその重み付けを計算することが好ましい。そして、コンテンツ種別判定部１２５は、判定したコンテンツ種別にＵＲＬを付加してデータベース入出力部１２２に送る。
【００２３】
データベース入出力部１２２は、コンテンツ情報収集部１２１から出力されたコンテンツ状態及びコンテンツタイプを、ＵＲＬに対応付けてコンテンツ情報格納手段として動作するデータベースサーバ１４に格納する。また、データベース入出力部１２２は、コンテンツ種別判定部１２５によって判定されたコンテンツ種別を、ＵＲＬに対応付けてデータベースサーバ１４に格納することも行う。図３は、データベースサーバ１４に格納されたデータの構成を示す図であり、例えば、コンテンツ状態を示すＵＲＬ状態“サーバダウン”、及びコンテンツ種別“通常”が、対応するコンテンツデータの配信元であるＵＲＬ“http://www.***2.co.jp/”に関連づけて格納されている。
【００２４】
コンテンツデータ収集部１２３は、情報中継用サーバ１１によってコンテンツデータが取得できない場合には、情報中継用サーバ１１から転送されてくるＵＲＬに基づいて、そのＵＲＬに対応するＵＲＬ状態を、データベース入出力部１２２を介してデータベースサーバ１４から取得する。そして、ＵＲＬ状態が“正常”であり取得可能なコンテンツデータであると判断される場合に、通信ネットワークＮＷに向けてコンテンツデータを要求するＨＴＴＰリクエスト信号を送信することにより、コンテンツデータを収集する。さらに、コンテンツデータ収集部１２３は、収集したコンテンツデータと対応するＵＲＬとをコンテンツデータ抽出部１２４に出力する。
【００２５】
次に、図４を参照して、情報付加用サーバ１３は、ページ情報受信部１３１、リンク情報抽出部（コンテンツ情報付加手段）１３２、ＵＲＬ種別／状態判定部（コンテンツ情報付加手段）１３３、データベース入出力部１３４、付加情報決定部（コンテンツ情報付加手段）１３５、及び情報付加送信部（コンテンツ情報付加手段、ページ情報送信手段）１３６を含んで構成されている。
【００２６】
ページ情報受信部１３１は、携帯通信端末２によるコンテンツデータの１種であるＷＥＢページの表示要求を契機にして、ＷＥＢページの配信元を識別するためのＵＲＬ、ＷＥＢページの受信時に通信ネットワークＮＷから返されるレスポンスコード、ＷＥＢページのデータ形式を示すコンテンツタイプ、ＷＥＢページデータ、及び携帯通信端末２のユーザを識別するユーザＩＤ（通信端末特定情報）を、情報中継用サーバ１１から受信する。具体的には、情報中継用サーバ１１により、携帯通信端末２からＷＥＢページの配信元を特定するＵＲＬを含むＨＴＴＰリクエスト信号が受信されると、そのＨＴＴＰリクエストを中継することにより通信ネットワークＮＷからＷＥＢページデータが取得され、その際受信されるレスポンスコードとコンテンツタイプとユーザＩＤとともに、ページ情報受信部１３１に転送される。
【００２７】
リンク情報抽出部１３２は、ページ情報受信部１３１によって受信されたＷＥＢページデータからリンク先情報である複数のリンクＵＲＬを抽出する。この場合、リンク先情報は通常“<a href=”〜”>”を文字列として含んでいるため、その文字列を検索してリンクＵＲＬを抽出する。リンクＵＲＬは絶対パス又は相対パスとして記載されており、相対パスで記載されている場合にリンク先を特定するにはＷＥＢページのＵＲＬ情報が必要となる。そのため、リンク情報抽出部１３２は、ページ情報受信部１３１によって受信されたＵＲＬを相対パスに付加することにより、絶対パスを再生成する機能を含むことが好ましい。そして、リンク情報抽出部１３２は、抽出したリンクＵＲＬをＵＲＬ種別／状態判定部１３３に出力する。
【００２８】
ＵＲＬ種別／状態判定部１３３は、リンク情報抽出部１３２によって抽出されたリンクＵＲＬに対応するＷＥＢページに関するＵＲＬ状態及びコンテンツ種別を、データベース入出力部１３４を介してデータベースサーバ１４から読み出す。例えば、ＵＲＬ種別／状態判定部１３３は、リンクＵＲＬが“http://www.***2.co.jp/”である場合は、図３に示すようなデータベースサーバ１４内のデータを参照して、そのリンクＵＲＬに対応するＵＲＬ状態“サーバダウン”及びコンテンツ種別“通常”を読み出す。そして、ＵＲＬ種別／状態判定部１３３は、読み出したＵＲＬ状態及びコンテンツ種別を、付加情報決定部１３５に出力する。
【００２９】
付加情報決定部１３５は、ＵＲＬ種別／状態判定部１３３から送られてきたＵＲＬ状態及びコンテンツ種別のそれぞれを、予め設定された変換テーブルに基づいてタグ情報に変換する。このタグ情報は、ＷＥＢページ内のリンク先情報に付加されるテキストデータである。例えば、付加情報決定部１３５は、ＵＲＬ状態“サーバダウン”をタグ情報“<sitedown>・・・</sitedown>”に、ＵＲＬ状態“ページ無し”をタグ情報“<linkexpired>・・・</linkexpired>”に、ＵＲＬ状態“ページ移動” をタグ情報“<redirected>・・・</redirected>”に、コンテンツ種別“アダルトサイト”をタグ情報“<porn>・・・</porn>”に、コンテンツ種別“暴力サイト”をタグ情報“<violent>・・・</violent>”に、それぞれ変換する。
【００３０】
ここで、付加情報決定部１３５は、ページ情報受信部１３１によって受信されたユーザＩＤを取得してそのユーザＩＤに基づいて携帯通信端末２のユーザ属性を特定し、ユーザ属性に応じたリンク先情報に変換するように動作してもよい。このようなユーザ属性は、外部装置からユーザ属性情報を収集して判断されてもよいし、予め情報付加用サーバ１３に格納されたユーザ属性情報を参照して判断されてもよい。これにより、例えば携帯通信端末２のユーザが１８歳以下の場合に、コンテンツ種別が“アダルトサイト”または“暴力サイト”の場合にタグ情報を付与するなどの処理が可能になる。また、ユーザが特定のコンテンツ種別を排除するように契約している場合に、そのコンテンツ種別に対してタグ情報を付与するといった処理も可能である。
【００３１】
情報付加送信部１３６は、ページ情報受信部１３１によって受信されたＷＥＢページの複数のリンク先情報のそれぞれに対して、付加情報決定部１３５によって生成されたタグ情報を付加する。例えば、ＷＥＢページのリンク先情報“<a href=”〜”>”の前後に、タグ情報“<linkexpired>”及び“</linkexpired>”を追加する。そして、情報付加送信部１３６は、タグ情報が付加されたＷＥＢページデータを、ページ情報受信部１３１によって受信されたユーザＩＤによって特定される送信先、すなわち携帯通信端末２に送信する。
【００３２】
図５（ａ）には、情報付加用サーバ１３によって通信ネットワークＮＷから受信されるＷＥＢページデータ、図５（ｂ）には、情報付加用サーバ１３によってタグ情報が付加されたＷＥＢページデータの一例を示している。例えば、ＷＥＢページ中のリンク先情報“<a href=”http://www.***2.co.jp”>おすすめサイト２</a>”の前後に、タグ情報“<linkexpired>”及び“</linkexpired>”が付加される。
【００３３】
次に、図６を参照して、携帯通信端末２は、情報入力部２０１、情報解析部２０２、表示情報保持部２０３、付加情報解析部（出力制御手段）２０４、通信部（要求情報送信手段、ページ情報受信手段）２０５、情報表示部２０６、ＬＥＤ給電部（発光手段）２０７、スピーカ給電部（音声出力手段）２０８、及びバイブレータ給電部（振動発生手段）２０９を含んで構成されている。
【００３４】
情報入力部２０１は、ユーザによる入力キーやポインタ等による入力を検出して文字情報や座標情報等の入力情報に変換し、情報解析部２０２は、その入力情報を解析して、ディスプレイ等の情報表示部２０６による表示内容に反映させる。表示情報保持部２０３は、通信部２０５を介して受信されたＷＥＢページデータ等のコンテンツデータに基づいて、情報表示部２０６にＷＥＢページや画像を表示させるための表示データを作成して一時的に保持する。また、表示情報保持部２０３は、情報解析部２０２による入力情報の解析結果を、表示情報保持部２０３の表示データに反映させることも行う。
【００３５】
通信部２０５は、情報解析部２０２による解析によりユーザからコンテンツデータの要求が受け付けられたと判断される場合に、情報中継用サーバ１１に向けてＵＲＬを含むＨＴＴＰリクエスト信号を送信する。このようなコンテンツデータの要求は、ユーザによって情報表示部２０６に表示されたＷＥＢページ上のリンクやＷＥＢブラウザのブックマークの選択入力が受け付けられた場合や、ＷＥＢブラウザの起動指示が受け付けられることによりスタートページが開かれる場合や、ユーザによってＵＲＬを含むＨＴＴＰリクエストコマンドが入力された場合に検出される。また、通信部２０５は、ＨＴＴＰリクエストの送信に応じて、情報付加用サーバ１３から送信されるＷＥＢページデータを受信して、表示情報保持部２０３及び付加情報解析部２０４に出力する。
【００３６】
付加情報解析部２０４は、通信部２０５によって受信されたＷＥＢページデータ中にリンク先情報が含まれるか否かを検出し、そのリンク先情報にＵＲＬ状態及びコンテンツ種別に対応した付加情報が付加されているか否かを判断する。そして、付加情報解析部２０４は、ＷＥＢページのリンク先情報に付加情報が付加されている場合は、そのリンク先情報ごとに付加情報に対応して予め設定された報知出力方式を特定する。例えば、付加情報解析部２０４は、リンク先情報“<a href=”http://www.***2.co.jp”>おすすめサイト２</a>”に、タグ情報“<linkexpired>”及び“</linkexpired>”が付加されている場合は、タグ情報“<linkexpired>”及び“</linkexpired >”に対して予め設定された報知出力方式“振動：１回、発光：１回”を特定する。
【００３７】
さらに、付加情報解析部２０４は、情報解析部２０２によるユーザの入力情報の解析結果によりリンク先情報に対するユーザの選択入力が検出された場合に、そのリンク先情報に対して予め特定された報知出力方式に基づいて、ＬＥＤ給電部２０７、スピーカ給電部２０８、及びバイブレータ給電部２０９に、発光タイミング、音声出力タイミング又は振動タイミングを制御するための制御信号を送出する。これにより、報知出力方式に応じて携帯通信端末２における発光、音声出力、振動、又はこれらの任意の組み合わせによる報知出力が制御される。例えば、報知出力方式“振動：１回、発光：１回”の場合は、バイブレータ及びＬＥＤランプが所定周期で１回ずつ給電されるように制御される。
【００３８】
以下、図７〜１０を参照して、リンク先情報配信システム１の動作について説明するとともに、併せてリンク先情報配信システム１におけるリンク先情報配信方法について詳述する。図７は、リンク先情報配信システム１におけるリンク先情報を含むＷＥＢページの配信動作を示すシーケンス図、図８〜１０は、それぞれ、情報収集解析用サーバ１２、情報付加用サーバ１３、及び携帯通信端末２の動作を示すフローチャートである。
【００３９】
まず、図７を参照して、携帯通信端末２においてユーザからのコンテンツデータの要求が受け付けられると（ステップＳ０１）、携帯通信端末から通信ネットワークＮＷ内の情報中継用サーバ１１に向けて、ＨＴＴＰリクエスト信号とユーザＩＤが送信される（ステップＳ０２）。そうすると、情報中継用サーバ１１によって、ＨＴＴＰリクエスト信号に含まれるＵＲＬに基づいて通信ネットワークＮＷ内からコンテンツデータが収集される（ステップＳ０３）。収集されたコンテンツデータは、通信ネットワークＮＷから同時に返されるレスポンスコードとＵＲＬとともに、情報中継用サーバ１１から情報収集解析用サーバ１２に転送される（ステップＳ０４）。さらに、情報中継用サーバ１１によって収集したコンテンツデータの種別がＷＥＢページであるか否かが判定される（ステップＳ０５）。上記判定の結果、コンテンツデータがＷＥＢページである場合は（ステップＳ０５；ＹＥＳ）、コンテンツデータとレスポンスコードとＵＲＬとユーザＩＤとが、情報中継用サーバ１１から情報付加用サーバ１３に転送される（ステップＳ０７）。一方、コンテンツデータがＷＥＢページでない場合は（ステップＳ０５；ＮＯ）、コンテンツデータとレスポンスコードとが、携帯通信端末２に返される（ステップＳ０６）。
【００４０】
さらに、情報収集解析用サーバ１２によって、情報中継用サーバ１１において収集されたコンテンツデータに対応するＵＲＬ状態とコンテンツ種別とが判定される（ステップＳ０８）。その後、判定されたＵＲＬ状態とコンテンツ種別とは、コンテンツデータの配信元を特定するＵＲＬに対応付けて、データベースサーバ１４に格納される（ステップＳ０９）。一方、情報付加用サーバ１３によって、情報中継用サーバ１１において収集されたＷＥＢページデータからリンク先情報が抽出され、そのリンク先情報に含まれるリンクＵＲＬに対応するＵＲＬ状態とコンテンツ種別とがデータベースサーバ１４から読み出されることにより、リンク先が解析される（ステップＳ１０）。そして、リンク先に対応するＵＲＬ状態及びコンテンツ種別に基づいて付加情報が決定されて、ＷＥＢページデータ中のリンク先情報に付加される（ステップＳ１１）。最後に、付加情報が付加されたＷＥＢページデータが携帯通信端末２に送信される（ステップＳ１２）。
【００４１】
次に、図８を参照して、情報収集解析用サーバ１２のコンテンツ情報収集部１２１は、携帯通信端末２からのＨＴＴＰリクエスト信号に含まれるＵＲＬ、通信ネットワークＮＷから返されるレスポンスコード、コンテンツタイプ、及びコンテンツデータを、情報中継用サーバ１１から受信する（ステップＳ１０１）。そうすると、コンテンツ情報収集部１２１は、レスポンスコードに基づいてＵＲＬ状態を判定し（ステップＳ１０２）、このＵＲＬ状態をＵＲＬに対応付けてデータベースサーバ１４に記憶する（ステップＳ１０３）。
【００４２】
また、コンテンツデータ抽出部１２４は、コンテンツデータからコンテンツ種別を特定するための要素情報を抽出する（ステップＳ１０４）。そして、コンテンツ種別判定部１２５が、種別情報格納部１２６に格納されたジャンル情報データベースを参照しながら、要素情報に基づいてコンテンツ種別を判定する（ステップＳ１０５）。その後、コンテンツデータに対して判定されたコンテンツ種別が、コンテンツデータに対応するＵＲＬに対応付けてデータベースサーバ１４に記憶される（ステップＳ１０６）。
【００４３】
図９を参照して、情報付加用サーバ１３のページ情報受信部１３１は、ＨＴＴＰリクエスト信号に含まれるＵＲＬ、通信ネットワークＮＷから返されるレスポンスコード、コンテンツタイプ、ＷＥＢページデータ、及び携帯通信端末２を特定するユーザＩＤを、情報中継用サーバ１１から受信する（ステップＳ２０１）。次に、リンク情報抽出部１３２は、受信されたＷＥＢページデータから複数のリンクＵＲＬを抽出する（ステップＳ２０２）。その後、ＵＲＬ種別／状態判定部１３３は、抽出されたリンクＵＲＬに対応するＵＲＬ状態及びコンテンツ種別を、データベースサーバ１４から取得する（ステップＳ２０３）。そして、付加情報決定部１３５が、ＵＲＬ状態及びコンテンツ種別のそれぞれをタグ情報に変換する（ステップＳ２０４）。次に、情報付加送信部１３６が、変換されたタグ情報をＷＥＢページ内の対応するリンク先情報に付加することにより、ＷＥＢページデータを編集する（ステップＳ２０５）。さらに、情報付加送信部１３６は、編集されたＷＥＢページデータを、ユーザＩＤによって特定される送信先に送信する（ステップＳ２０６）。
【００４４】
次に、図１０を参照して、携帯通信端末２の情報入力部２０１によりユーザからＷＥＢページの閲覧要求が受け付けられると（ステップＳ３０１）、ユーザからの入力情報が情報解析部２０２によって解析される（ステップＳ３０２）。その後、通信部２０５は、情報中継用サーバ１１に向けて、ＷＥＢページのＵＲＬを含むＨＴＴＰリクエスト信号を送信する（ステップＳ３０３）。これに対して、通信部２０５は、情報付加用サーバ１３から付加情報が付加されたＷＥＢページを受信する（ステップＳ３０４）。その後、表示情報保持部２０３によってＷＥＢページデータが解析されてＷＥＢページ用の表示データが作成される（ステップＳ３０５）。その結果、情報表示部２０６にＷＥＢページが表示される（ステップＳ３０６、図１１）。
【００４５】
さらに、情報表示部２０６によって表示されたＷＥＢページ上のいずれかのリンク先に対して、ユーザによる選択入力が為された場合（ステップＳ３０７）、情報解析部２０２によってユーザの入力情報が解析される（ステップＳ３０８）。上記解析の結果、ＷＥＢページ上のリンク先の選択が検出された場合は（ステップＳ３０９；ＹＥＳ）、付加情報解析部２０４により選択対象のリンク先に付加された付加情報が解析される（ステップＳ３１０）。最後に、付加情報解析部２０４により、付加情報に対応する報知出力形式が特定され、その報知出力方式に応じて、携帯通信端末２における光出力、音声出力、及び振動による報知出力が制御される（ステップＳ３１１）。
【００４６】
図１１（ａ）〜（ｂ）は携帯通信端末２の情報表示部２０６に表示されるＷＥＢページの一例を示す図である。例えば、ＷＥＢページ上のリンク先“おすすめサイト２”がユーザに選択されると（図１１（ｂ））、携帯通信端末のバイブレータ及びＬＥＤが所定期間で１回ずつ起動され、リンク先“おすすめサイト３”がユーザに選択されると（図１１（ｃ））、携帯通信端末のバイブレータ及びＬＥＤが所定期間で２回ずつ起動されるといった制御が為される。
【００４７】
以上説明したリンク先情報配信システム１及びリンク先情報配信方法によれば、情報配信装置１０によって通信ネットワークＮＷ内からのコンテンツデータの受信時のレスポンスコードが取得されるとともに、コンテンツデータの種別が判定されて、レスポンスコードに基づいたＵＲＬとそのコンテンツ種別とがコンテンツデータ毎にいったん格納される。その後、携帯通信端末２からの要求によりリンク先情報を含むＷＥＢページが送信される際に、そのＷＥＢページにＵＲＬ状態及びコンテンツ種別に対応する付加情報が付加されて、携帯通信端末２に送信される。これに対して、携帯通信端末２により、受信されたＷＥＢページ中のリンク先情報が選択入力されると、そのリンク先情報に付加されている付加情報に応じて、報知出力が制御される。これにより、リンク先に関するコンテンツの内容や状態が、ＷＥＢページと併せて表示されることなしに携帯通信端末２のユーザに知らせられるので、画面表示や画面操作に対して障害を生じさせることがない。その結果、リンク先に関連する情報をユーザに円滑に通知することができる。
【００４８】
また、携帯通信端末２の付加情報解析部２０４は、スピーカ、バイブレータ、及びＬＥＤを組み合わせて出力制御することにより、コンテンツの内容や状態に関する情報のより円滑な伝達が可能になる。
【００４９】
また、付加情報決定部１３５は、携帯通信端末２のユーザの属性に応じて付加情報を決定するので、ユーザの年齢やサービス契約状態等の属性に応じて、ユーザに通知するリンク先に関連する情報を適切に設定することができる。
【００５０】
なお、本発明は、前述した実施形態に限定されるものではない。例えば、情報中継用サーバ１１、情報収集解析用サーバ１２、情報付加用サーバ１３、及びデータベースサーバ１４は、任意の数のサーバ装置によって構成されていてもよい。
【００５１】
また、コンテンツデータの状態や種別を特定する場合には、判別機能を機械学習するための学習機能をさらに備えていてもよい。
【図面の簡単な説明】
【００５２】
【図１】本発明の好適な一実施形態にかかるリンク先情報配信システムの概略構成図である。
【図２】図１の情報収集解析用サーバの機能構成を示すブロック図である。
【図３】図１のデータベースサーバに格納されたデータの構成を示す図である。
【図４】図１の情報付加用サーバの機能構成を示すブロック図である。
【図５】図４の情報付加用サーバによって編集されるＷＥＢページデータの一例を示す図である。
【図６】図１の携帯通信端末の機能構成を示すブロック図である。
【図７】図１のリンク先情報配信システムにおけるリンク先情報を含むＷＥＢページの配信動作を示すシーケンス図である。
【図８】図１の情報収集解析用サーバの動作を示すフローチャートである。
【図９】図１の情報付加用サーバの動作を示すフローチャートである。
【図１０】図１の携帯通信端末の動作を示すフローチャートである。
【図１１】図６の携帯通信端末の情報表示部に表示されるＷＥＢページの一例を示す図である。
【符号の説明】
【００５３】
１…リンク先情報配信システム、２…携帯通信端末、１０…情報配信装置、１１…情報中継用サーバ（コンテンツ受信手段）、１２１…コンテンツ情報収集部（コンテンツ受信手段）、１２３…コンテンツデータ収集部（コンテンツ受信手段）、１２５…コンテンツ種別判定部（コンテンツ種別判定手段）、１３２…リンク情報抽出部（コンテンツ情報付加手段）、１３３…ＵＲＬ種別／状態判定部（コンテンツ情報付加手段）、１３５…付加情報決定部（コンテンツ情報付加手段）、１３６…情報付加送信部（コンテンツ情報付加手段、ページ情報送信手段）、２０４…付加情報解析部（出力制御手段）、２０５…通信部（要求情報送信手段、ページ情報受信手段）、２０７…ＬＥＤ給電部（発光手段）、２０８…スピーカ給電部（音声出力手段）、２０９…バイブレータ給電部（振動発生手段）、ＮＷ…通信ネットワーク。
【図１】
2009288959.tif 000005
【図２】
2009288959.tif 000006
【図３】
2009288959.tif 000007
【図４】
2009288959.tif 000008
【図５】
2009288959.tif 000009
【図６】
2009288959.tif 000010
【図７】
2009288959.tif 000011
【図８】
2009288959.tif 000012
【図９】
2009288959.tif 000013
【図１０】
2009288959.tif 000014
【図１１】
2009288959.tif 000015